(57)【要約】【課題】３６０度回転可能に配置される操作部材を用いて、視認を必要とすることなく、所望する機能の設定を簡単に行うことができる回転式ダイヤルを提供する。【解決手段】デジタル一眼レフカメラ１００において撮影モードを設定する回転式ダイヤル１０は、３６０度の回転が可能にデジタル一眼レフカメラ１００の本体に取り付けられる略有底円筒形状の操作部材１と、操作部材１の内側に配置される弾性部材２を備える。操作部材１は、その内周面に連続して凹凸形状に形成された第１の摩擦摺動部１１と、操作部材１の内側に設けられ、１カ所に凹部１３が形成された第２の摩擦摺動部１２を有し、弾性部材２は、第１の摩擦摺動部１１の凹凸形状とクリック係合する第１の係合部２１と、第２の摩擦摺動部１２の凹部１３とクリック係合する第２の係合部２２とを有する。【選択図】図２
2015032375.tif 000002
【特許請求の範囲】
【請求項１】
電子機器に設けられる回転式ダイヤルであって、
３６０度の回転が可能に前記電子機器の本体に取り付けられる、略有底円筒形状を有する操作部材と、
前記操作部材の内側に配置される弾性部材とを備え、
前記操作部材は、前記操作部材の内周面に連続して凹凸形状に形成された第１の摩擦摺動部と、前記操作部材の内側に設けられ、１カ所に凹部が形成された第２の摩擦摺動部とを有し、
前記弾性部材は、前記第１の摩擦摺動部の凹凸形状とクリック係合する第１の係合部と、前記第２の摩擦摺動部の前記凹部とクリック係合する第２の係合部とを有する弾性部材とを有することを特徴とする回転式ダイヤル。
【請求項２】
前記第２の摩擦摺動部は、前記操作部材の内側に設けられた円柱状の突起部の外周面であり、
前記第１の係合部は、前記第１の摩擦摺動部に対して前記操作部材の径方向において外側に向かう方向に付勢し、
前記第２の係合部は、前記第２の摩擦摺動部に対して前記操作部材の径方向において中心側に向かう方向に付勢すること特徴とする請求項１に記載の回転式ダイヤル。
【請求項３】
前記第２の摩擦摺動部は、前記操作部材の内側の底面であり、
前記第１の係合部は、前記第１の摩擦摺動部に対して前記操作部材の径方向において外側に向かう方向に付勢し、
前記第２の係合部は、前記第２の摩擦摺動部に対して前記操作部材の軸方向に付勢することを特徴とする請求項１に記載の回転式ダイヤル。
【請求項４】
前記第１の係合部は、前記弾性部材において、略軸対称位置となる２カ所に設けられていることを特徴とする請求項１乃至３のいずれか１項に記載の回転式ダイヤル。
【請求項５】
請求項１乃至４のいずれか１項に記載の回転式ダイヤルを備えることを特徴とする電子機器。
【請求項６】
前記電子機器の本体に、前記第１の係合部を係止するリブが設けられていることを特徴とする請求項５記載の電子機器。
【請求項７】
前記電子機器は、撮像装置であり、
前記回転式ダイヤルは、前記撮像装置における撮影モードを設定するための操作手段であり、
前記第２の摩擦摺動部の前記凹部と前記第２の係合部とは、オート撮影モードでクリック係合することを特徴とする請求項５又は６に記載の電子機器。
【発明の詳細な説明】
【技術分野】
【０００１】
本発明は、電子機器に搭載される回転式ダイヤルに関する。
【背景技術】
【０００２】
電子機器の一例であるデジタルカメラは、シャッタスピード優先モードや絞り優先モード等の各種の撮影モードでの撮影が可能であり、撮影時の撮影モードを設定するための操作部材を備えている。また、近年、夜景撮影に適した夜景モードや動作の早い被写体の撮影に適したキッズモード等、デジタルカメラに装備される撮影モードの数が増えている。
【０００３】
撮影モードの選択には、従来から、回転式ダイヤルが広く用いられている。例えば、回転式ダイヤルは、カメラ本体に対して回転操作可能に取り付けられた操作部材と、この操作部材に締結され、凹凸形状の摩擦摺動部をもつ回転板と、この回転板の凹凸形状にクリック係合する係止部材と、この係止部材を回転板に付勢する弾性部材を備える。そして、クリック係合により操作部材が安定する複数の位置のそれぞれに所定の撮影モードが設定されている。
【０００４】
また、特許文献１には、カメラ本体に対して回転操作可能に取り付けられた操作部材と、この操作部材の内側に形成した凹凸形状の摩擦摺動部に対して略軸対称位置でクリック係合する係合部を有する弾性部材とを備える回転式ダイヤルが提案されている。操作部材の回転動作範囲には、等角度に所定の撮影モードが設定されており、カメラ本体には操作部材に対して突起が設けられており、操作部材が撮影モードの設定範囲外に回転することを防止している。
【先行技術文献】
【特許文献】
【０００５】
【特許文献１】特開平７−２８１５１号公報
【発明の概要】
【発明が解決しようとする課題】
【０００６】
しかしながら、上記の従来の回転式ダイヤルでは、操作部材が３６０度にわたって全周回転するため、新たに設定する撮影モードを目視で確認する必要がある。この場合、暗い場所で撮影モードの切り替え操作を行ったときには、設定確認が困難という問題や、ファインダを覗いた状態での撮影モードの設定確認ができないという問題がある。これらの問題を解決するためには、必要な部品点数が増えてしまい、そのためのカメラ本体の大型化が必要になるおそれがある。
【０００７】
一方、特許文献１に記載された技術では、操作部材の回転操作範囲の内、少なくとも一区分（クリック係合により安定する２つの位置の間）を、回転操作不可能な回転禁止区間とする必要がある。そのため、回転禁止区間を挟んで設定された撮影モード間で撮影モードを切り替える際には、回転禁止区間とは反対側に操作部材を回転させる必要があり、半回転以上の回転操作が必要になる等して、不便である。
【０００８】
本発明は、３６０度回転可能に配置される操作部材を用いて、視認（目視）を必要とすることなく、所望する機能の設定を簡単に行うことができる回転式ダイヤル、及びこの回転式ダイヤルを備える電子機器を提供することを目的とする。
【課題を解決するための手段】
【０００９】
本発明に係る回転式ダイヤルは、電子機器に設けられる回転式ダイヤルであって、３６０度の回転が可能に前記電子機器の本体に取り付けられる、略有底円筒形状を有する操作部材と、前記操作部材の内側に配置される弾性部材とを備え、前記操作部材は、前記操作部材の内周面に連続して凹凸形状に形成された第１の摩擦摺動部と、前記操作部材の内側に設けられ、１カ所に凹部が形成された第２の摩擦摺動部とを有し、前記弾性部材は、前記第１の摩擦摺動部の凹凸形状とクリック係合する第１の係合部と、前記第２の摩擦摺動部の前記凹部とクリック係合する第２の係合部とを有する弾性部材とを有することを特徴とする。
【発明の効果】
【００１０】
本発明によれば、３６０度回転可能に配置される操作部材を用いても、視認（目視）を必要とすることなく、所望する機能の設定を簡単に行うことができる。
【図面の簡単な説明】
【００１１】
【図１】本発明の第１実施形態に係る回転式ダイヤルを備えるデジタル一眼レフカメラの上面図である。
【図２】図１に示す回転式ダイヤルの分解斜視図である。
【図３】図２に示す回転式ダイヤルと、回転式ダイヤルが配設されるデジタル一眼レフカメラの本体外装カバーの構造を示す斜視図である。
【図４】本発明の第２実施形態に係る回転式ダイヤルの分解斜視図である。
【図５】図４に示す回転式ダイヤルと、回転式ダイヤルが配設されるデジタル一眼レフカメラの本体外装カバーの構造を示す斜視図である。
【発明を実施するための形態】
【００１２】
以下に、本発明の実施形態について、添付図面を参照して詳細に説明する。ここでは、本発明に係る回転式ダイヤルを、電子機器の一例であるデジタル一眼レフカメラが有する機能の１つである撮影モードの設定手段として用いた場合について説明することとする。
【００１３】
＜第１実施形態＞
図１は、本発明の第１実施形態に係る回転式ダイヤル１０を備えるデジタル一眼レフカメラ１００の上面図である。回転式ダイヤル１０は、デジタル一眼レフカメラ１００が備える複数の撮影モードの中から所望の撮影モードを設定するために、デジタル一眼レフカメラ１００の図中右側に設けられている。複数の撮影モードとしては、例えば、オート撮影モード、Ａｖ撮影モード、Ｔｖ撮影モード、マニュアル撮影モード、風景モード、夜景モード、ポートレートモード、花（マクロ）モード等があるが、これらに限定されるものではない。
【００１４】
回転式ダイヤル１０は、撮影者が実際に回転操作を行う操作部材１を有し、操作部材１の表面（上面）には、設定可能な撮影モードを模式的に示す画像が所定の回転角度毎に印刷等により表記されている。デジタル一眼レフカメラ１００の上面には、回転式ダイヤル１０に隣接して、指標部８０が印刷等により表記されており、指標部８０と対向する操作部材１上の画像に対応する撮影モードが、現在設定されている撮影モードとなる。なお、図１には、オート撮影モードに設定されている状態が示されている。
【００１５】
図２は、回転式ダイヤル１０の分解斜視図である。図３は、回転式ダイヤル１０が配設されるデジタル一眼レフカメラ１００の本体外装カバー３の構造を示す斜視図である。
【００１６】
回転式ダイヤル１０において、撮影者が実際に回転操作を行う操作部材１は、略有底円筒形状を有する。操作部材１の内周面には、３６０度にわたり連続して凹凸形状に形成された第１の摩擦摺動部１１が設けられている。操作部材１の回転中心から第１の摩擦摺動部１１までの距離ｒが角度θに応じて、例えば、正弦波を描いて変化するように、第１の摩擦摺動部１１は滑らかな波型形状に形成されている。
【００１７】
また、操作部材１の内側の中央部には、操作部材１の回転軸１４を中心にして円柱状突起が設けられており、この円柱状突起の外周面が、第２の摩擦摺動部１２として用いられる。第２の摩擦摺動部１２には、１カ所に凹部１３が形成されている。
【００１８】
操作部材１の内側には、板状部材を略円弧状に形成してなる、バネ性を有する弾性部材２が配置される。弾性部材２の２カ所の先端部近傍にはそれぞれ、Ｒ形状で外周側に突出する第１の係合部２１が、弾性部材２の中心について略対称となる位置（略軸対称位置）に設けられており、これらの第１の係合部２１は、第１の摩擦摺動部１１とクリック係合する。第１の係合部２１が第１の摩擦摺動部１１の窪み部分（凹部分）と当接した状態で操作部材１は安定し、この安定した状態に対して撮影モードが設定される。
【００１９】
弾性部材２において、２カ所に設けられた第１の係合部２１の中間には、Ｒ形状で内周側に突出する第２の係合部２２が設けられており、第２の係合部２２の先端は、操作部材１の径方向において中心側に向かう方向に付勢し、常に、第２の摩擦摺動部１２に当接した状態に保持される。
【００２０】
本体外装カバー３の回転式ダイヤル１０が配置される位置には、操作部材１の回転軸１４が挿入される円筒突起部３２が設けられており、円筒突起部３２の中心について対称となる２カ所にリブ３１が形成されている。
【００２１】
操作部材１及び弾性部材２を本体外装カバー３に取り付けた状態では、弾性部材２の第１の係合部２１がリブ３１により係止される、つまり、リブ３１が弾性部材２の第１の係合部２１の内側（凹面側）に位置することによって、弾性部材２は位置規制される。一方、弾性部材２に設けられた第１の係合部２１の先端は、リブ３１の先端よりも一定の空隙が設けられた状態で外側に突出し、常に操作部材１の第１の摩擦摺動部１１に当接する。よって、操作部材１を回転操作させたとき、弾性部材２はリブ３１による位置規制により回転することはないが、第１の係合部２１の先端は、常に、第１の摩擦摺動部１１に当接する方向（操作部材１の径方向において外側に向かう方向）に付勢し、第１の摩擦摺動部１１に当接している。弾性部材２は、リブ３１により位置規制された状態で、第１の係合部２１の先端が当接する第１の摩擦摺動部１１の凹凸形状（正弦波形状）に応じて撓み、これにより、クリック感が発生する。
【００２２】
操作部材１を回転させたときに、弾性部材２の第２の係合部２２が第２の摩擦摺動部１２の殆どの領域を占める平滑な面に当接している間は、クリック感は第１の係合部２１によってのみ発生するため、クリック感が変化することはない。しかし、特定の撮影モードが選択された際に、弾性部材２の第２の係合部２２が第２の摩擦摺動部１２の凹部１３とクリック係合すると、その位置ではクリック感が変化する。よって、例えば、第２の係合部２２と凹部１３とがクリック係合する位置がオート撮影モードに設定されている場合、撮影者は、操作部材１を回転操作したときのクリック感の変化から、オート撮影モードに設定されたことを、目視で確認することなく認識することができる。
【００２３】
以上、第１実施形態によれば、撮影者が操作部材１を回転させて撮影モードを設定する際に、所望の撮影モードに至るまで、第１の係合部２１と第１の摩擦摺動部１１とのクリック係合により、所定の回転角度毎に一定のクリック感を発生させることができる。また、特定の撮影モードが選択されたときに、第２の係合部２２が第２の摩擦摺動部１２に形成された凹部１３とクリック係合することで、クリック感が変化する。これにより、撮影者は、クリック感の変化から特定の撮影モードが選択されたことを目視する必要なく認識することができる。更に、操作部材１の回転操作は全周囲（３６０度）に亘って回転可能なため、多くの撮影モードを装備させることができると共に、少なくとも１８０度の回転操作により、所望の撮影モードへ切り替えることができる。なお、弾性部材２は、操作部材１の径方向でクリック係合するため、操作部材１の厚みを薄く（高さを低く）抑えることができる。
【００２４】
＜第２実施形態＞
図４は、第２実施形態に係る回転式ダイヤル１０Ａの分解斜視図である。図５は、回転式ダイヤル１０Ａが配設されるデジタル一眼レフカメラ１００の本体外装カバー３の構造を示す斜視図である。第１実施形態と第２実施形態とでは、回転式ダイヤル（１０，１０Ａ）の操作部材（１，４）と弾性部材（２，５）の構造のみが異なるため、本体外装カバー３については，第１実施形態と同じ符号を付して、上記と重複する説明は省略する。
【００２５】
回転式ダイヤル１０Ａにおいて、撮影者が実際に回転操作を行う略有底円筒形状の操作部材４の内周面には、３６０度に亘って凹凸形状に形成された第１の摩擦摺動部４１が設けられている。第１の摩擦摺動部４１は、第１実施形態に係る回転式ダイヤル１０の操作部材１に設けられた第１の摩擦摺動部１１と同じであるため、上記と重複する説明は省略する。操作部材４の内側の底面は、後述する弾性部材５の第２の係合部５２が当接し、操作部材４の回転操作に従って第２の係合部５２と摩擦摺動する第２の摩擦摺動部４２である。第２の摩擦摺動部４２には、１カ所に凹部４３が設けられている。
【００２６】
操作部材４の内側には、板状部材を略円弧状に形成してなる、バネ性を有する弾性部材５が取り付けられる。弾性部材５の２カ所の先端部近傍にはそれぞれ、Ｒ形状で外周側に突出する第１の係合部５１が、弾性部材２の中心について対称となる位置に設けられており、これらの第１の係合部５１は第１の摩擦摺動部４１と係合する。第１の係合部５１は、第１実施形態に係る回転式ダイヤル１０の弾性部材２に設けられた第１の係合部２１と同じであるため、上記と重複する説明は省略する。
【００２７】
弾性部材５には、操作部材４の回転軸と平行な方向において、弾性部材５が操作部材４に収容された状態で第２の摩擦摺動部４２に向けてＲ形状で突出するように、第２の係合部５２が形成されている。第２の係合部５２の先端は、常に、軸方向（操作部材４の径方向と直交する軸方向）に付勢し、第２の摩擦摺動部４２当接した状態に保持される。
【００２８】
操作部材４及び弾性部材５を本体外装カバー３に取り付けた状態では、弾性部材５の第１の係合部５１がリブ３１により係止される、つまり、リブ３１が弾性部材５の第１の係合部５１の内側（凹面側）に位置することによって、弾性部材５は位置規制される。一方、弾性部材５に設けられた第１の係合部５１の先端は、リブ３１の先端よりも一定の空隙が設けられた状態で外側に突出し、常に操作部材４の第１の摩擦摺動部４１に当接する。よって、操作部材４を回転操作させたときには、弾性部材５はリブ３１による位置規制により回転することはないが、第１の係合部５１の先端は、常に、第１の摩擦摺動部４１に当接する方向に付勢し、第１の摩擦摺動部４１に当接している。弾性部材５は、リブ３１により位置規制された状態で、第１の係合部５１の先端が当接する第１の摩擦摺動部４１の凹凸形状（正弦波形状）に応じて撓み、これにより、クリック感が発生する。
【００２９】
操作部材４を回転させたとき、弾性部材５の第２の係合部５２が操作部材４の第２の摩擦摺動部４２の殆どの領域を占める平滑な面に当接している間は、クリック感は弾性部材５の第１の係合部５１によってのみ発生し、変化することはない。しかし、特定の撮影モードが選択された際に、弾性部材５の第２の係合部５２が第２の摩擦摺動部４２の凹部４３とクリック係合すると、その位置ではクリック感が変化する。よって、例えば、第２の係合部５２と凹部４３とがクリック係合する位置がオート撮影モードに設定されていると、撮影者は、操作部材４を回転操作したときのクリック感の変化から、オート撮影モードに設定されたことを、目視で確認することなく、認識することができる。以上の説明から明らかな通り、第２実施形態でも、第１実施形態と同じ効果を得ることができることは言うまでもない。
【００３０】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。例えば、本発明に係る回転式ダイヤルは、デジタル一眼レフカメラに限定されることなく、各種の電子機器に適用することが可能である。例えば、このような電子機器としては、コンパクトデジタルカメラ、デジタルビデオカメラ等の撮像装置、プリンタ等が挙げられる。
【符号の説明】
【００３１】
１，４    操作部材
１１，４１    第１の摩擦摺動部
１２，４２    第２の摩擦摺動部
１３，４３    凹部
２，５    弾性部材
２１，５１    第１の係合部
２２，５２    第２の係合部
３    本体外装カバー
１０，１０Ａ    回転式ダイヤル
【図１】
2015032375.tif 000003
【図２】
2015032375.tif 000004
【図３】
2015032375.tif 000005
【図４】
2015032375.tif 000006
【図５】
2015032375.tif 000007